(57)【要約】【課題】隣接して設置される複数の柔道畳の周囲に寄せ枠を設けなくてもずれが生じない柔道畳を提供する。【解決手段】複数枚の柔道畳２，３，４，５によって形成される柔道場１の周縁部に設置される柔道畳３，４，５であって、前記柔道畳３，４，５は、前記周縁部に前記柔道畳３，４，５と隣接して設置される柔道畳３，４，５と連結し、柔道場１の内部に設置される柔道畳２を囲む連結部が設けられるので、柔道場１の内部に設置される柔道畳２は、柔道場１の周縁部に設置される柔道畳３，４，５によって囲まれ柔道畳２の移動が制限されるので、競技者の動きによってずれることがなく、隣接して設置される複数の柔道畳２の周囲に寄せ枠を設けることを要しない。【選択図】図１
2013023817.tif 000002
【特許請求の範囲】
【請求項１】
複数枚の柔道畳によって形成される柔道場の周縁部に設置される周縁用の柔道畳であって、
前記周縁用の柔道畳は、前記周縁部に前記周縁用の柔道畳と隣接して設置される他の周縁用の柔道畳と連結し柔道場の内部に設置される柔道畳を囲む連結部が設けられることを特徴とする柔道畳。
【請求項２】
前記連結部は、面ファスナーであることを特徴とする請求項１に記載の柔道畳。
【請求項３】
前記柔道畳は、長手方向両端面に各々雄面ファスナーと雌面ファスナーとが設けられる第１の柔道畳と、第１の柔道畳の長手方向の端面に設けられる雌面ファスナーと接着する雄面ファスナーを短手方向の端面に有し、第１の柔道畳の長手方向端面に設けられる雄面ファスナーと接着する雌面ファスナーを長手方向の端面に有する第２の柔道畳と、第１の柔道畳の長手方向端面に設けられる雄面ファスナーと接着する雌面ファスナーを短手方向の端面に有し、第１の柔道畳の長手方向端面に設けられる雌面ファスナーと接着する雄面ファスナーを長手方向の端面に有する第３の柔道畳との少なくとも３種類あることを特徴とする請求項１または２に記載の柔道畳。
【請求項４】
第１の柔道畳，第２の柔道畳および第３の柔道畳の外周には、互いに隣接する柔道畳同士を連結する雌面または雄面のいずれか一方の面ファスナーが設けられ、該面ファスナーには、補助板に設けられた雄面または雌面のいずれか一方の面ファスナーが接着し、隣接する第１の柔道畳同士，隣接する第１および第２の柔道畳同士，隣接する第１および第３の柔道畳同士を接合させるように構成したことを特徴とする請求項３に記載の柔道畳。
【発明の詳細な説明】
【技術分野】
【０００１】
本発明は、柔道畳の技術に関し、より詳細には、複数の柔道畳が隣接して設置された周囲に寄せ枠を設けなくても柔道畳にずれが生じない柔道畳の技術に関する。
【背景技術】
【０００２】
たとえば複数枚の柔道畳を隣接して配置して正方形の柔道場を設置する場合には、正方形に設置した複数枚の柔道畳の周囲に木製あるいはゴム製の寄せ枠が設けられる。寄せ枠を設けることによって柔道畳がずれなくなり、柔道畳のずれに起因した競技者の怪我が防止されている。
【発明の概要】
【発明が解決しようとする課題】
【０００３】
柔道畳の周囲に寄せ枠を設置する場合には、体育館などの床面に簡易に柔道場を設置することができない。体育館などの床面に、木製などの寄せ枠を設けた場合には、寄せ枠が床面を傷付けることがある。また、寄せ枠を設置する場合には、寄せ枠用のスペースが必要となり、狭い場所に柔道場を設置する場合には柔道畳を設置することができるスペースが制限される。
【０００４】
本発明の目的は、このような課題を解決するもので、隣接して設置される複数の柔道畳の周囲に寄せ枠を設けなくてもずれが生じない柔道畳を提供することである。
【課題を解決するための手段】
【０００５】
請求項１に記載の発明は、複数枚の柔道畳によって形成される柔道場の周縁部に設置される周縁用の柔道畳であって、前記周縁用の柔道畳は、前記周縁部に前記周縁用の柔道畳と隣接して設置される他の周縁用の柔道畳と連結し柔道場の内部に設置される柔道畳を囲む連結部が設けられる。また、請求項２に記載の発明によると、前記連結部は、面ファスナーである。
【０００６】
請求項３に記載の発明によると、前記柔道畳は、長手方向両端面に各々雄面ファスナーと雌面ファスナーとが設けられる第１の柔道畳と、第１の柔道畳の長手方向の端面に設けられる雌面ファスナーと接着する雄面ファスナーを短手方向の端面に有し、第１の柔道畳の長手方向端面に設けられる雄面ファスナーと接着する雌面ファスナーを長手方向の端面に有する第２の柔道畳と、第１の柔道畳の長手方向端面に設けられる雄面ファスナーと接着する雌面ファスナーを短手方向の端面に有し、第１の柔道畳の長手方向端面に設けられる雌面ファスナーと接着する雄面ファスナーを長手方向の端面に有する第３の柔道畳との少なくとも３種類ある。
【０００７】
請求項４に記載の発明によると、第１の柔道畳，第２の柔道畳および第３の柔道畳の外周には、互いに隣接する柔道畳同士を連結する雌面または雄面のいずれか一方の面ファスナーが設けられ、該面ファスナーには、補助板に設けられた雄面または雌面のいずれか一方の面ファスナーが接着し、隣接する第１の柔道畳同士，隣接する第１および第２の柔道畳同士，隣接する第１および第３の柔道畳同士を接合させるように構成したものである。
【発明の効果】
【０００８】
請求項１記載の発明によれば、周縁用の柔道畳は、周縁部に前記周縁用の柔道畳と隣接して設置される他の周縁用の柔道畳と連結し、柔道場の内部に設置される柔道畳を囲む連結部が設けられるので、柔道場の内部に設置される柔道畳は、柔道場の周縁部に設置される柔道畳によって囲まれ移動が制限されるので、競技者の動きによってずれることがなく、隣接して設置される複数の柔道畳の周囲に寄せ枠を設けることを要しない。
【図面の簡単な説明】
【０００９】
【図１】本発明の第１の実施形態における柔道場の平面図である。
【図２】柔道畳の面ファスナーの縫いつけ位置を示す図である。
【図３】柔道畳の雄面ファスナーおよび雌面ファスナーの縫い付け部を示す斜視図である。
【図４】柔道畳の雄面ファスナーの縫い付け部を示す斜視図である。
【図５】本発明の第２の実施形態における柔道畳の雄面ファスナーの縫い付け部を示す斜視図である。
【図６】本発明の第３の実施形態における柔道場の平面図である。
【発明を実施するための形態】
【００１０】
本発明の第１の実施形態について図１，図２，図３および図４に基づいて説明する。図１は、本発明の一実施形態における柔道場１の平面図である。柔道場１は、５０枚の柔道畳２，３，４および５が隣接して設置されて概ね正方形に形成される。柔道場１の中央部には、縦に４枚隣接して配置した柔道畳２を８列設け、合計３２枚の柔道畳２が設けられる。正方形に形成された３２枚の柔道畳２の周囲には、１８枚の柔道畳３，４および５が正方形のリング状に連結されて設置される。柔道畳３は、正方形のリング状に連結された直線部分に１４枚配置される。柔道畳４は、正方形のリングの対向する角部に２箇所配置され、柔道畳５は他方の対向する角部に２箇所配置される。
【００１１】
なお、柔道畳２は、すべて同じ方向に向けて設置しているが、これに限定されるものではなく、図２に示す方向に対して直交する方向に配置したものを含んでもよい。
柔道畳２，３，４，５は、合成樹脂の発泡体を含む積層体からなる畳床と表面材とからなり、表面材は、畳床を上方から包み込み、畳床に縫合される。畳床を構成する積層体に含まれる合成樹脂の発泡体としては、ポリエチレン発泡体などが挙げられ、表面材としてはポリ塩化ビニル、ポリエチレン製のシート等が用いられる。
【００１２】
図２は、柔道畳３，４，５の雄面ファスナー６および雌面ファスナー７の縫い付け位置を示す図である。柔道畳３，４および５の端面８，９，１０，１１，１２，１３には、連結部である雄面ファスナー６および雌面ファスナー７が縫い付けられる。柔道畳３，４および５は、面ファスナー６，７で連結され、周囲に隣接した状態で柔道畳２を囲む。
【００１３】
柔道畳３は、長手方向両端面８，９の中央部に雄面ファスナー６と雌面ファスナー７とが各々設けられ、正方形のリング状に連結された直線部分に配置される。柔道畳４は、長手方向の端面１０の中央部に雌面ファスナー７が設けられ、短手方向の端面１１には、隣接して連結される柔道畳３の長手方向端面９に設けられる雌面ファスナー７が接着する雄面ファスナー６が設けられる。
【００１４】
柔道畳５は、長手方向の端面１２の中央部に雄面ファスナー６が設けられ、短手方向の端面１３には、隣接して連結される柔道畳３の長手方向端面８に設けられる雄面ファスナー６が接着する雌面ファスナー７が設けられる。柔道場１の中央部に設置される柔道畳２が増えた場合には、直線部分に配置される柔道畳３が増やされる。
【００１５】
次に、雄面ファスナー６および雌面ファスナー７の縫い付け部について説明する。柔道畳３，４および５は、柔道畳２と同様に、たとえば長さ１８２ｃｍ，幅９１ｃｍ，厚み６ｃｍであるが、雄面ファスナー６あるいは雌面ファスナー７として、例えば幅Ｔが３８ｍｍのものを長さＬが８０ｃｍにカットしたものが用いられる。
【００１６】
図３は、柔道畳３の雄面ファスナー６の縫い付け部を示す斜視図である。図３に示すように、柔道畳３の長手方向端面８に縫い付けられる雄面ファスナー６は、表面材で覆われた端面８の中央下部に表面材とともに畳床に縫い付けられる。柔道畳３の長手方向端面９に縫い付けられる雌面ファスナー７、柔道畳４の長手方向端面１０に縫い付けられる雌面ファスナー７および柔道畳５の長手方向端面１２に縫い付けられる雄面ファスナー６についても同様である。
【００１７】
図４は、柔道畳４の雄面ファスナー６の縫い付け部を示す斜視図である。図４に示すように、柔道畳３の長手方向端面９に縫い付けられる雌面ファスナー７が接着する柔道畳４の短手方向の端面１１に縫い付けられる雄面ファスナー６は、端面１１の端部から、たとえば５ｃｍの間隔を空けて、表面材で覆われた端面１１の下部に表面材とともに畳床に縫い付けられる。
【００１８】
柔道畳４の雄面ファスナー６と柔道畳３の雌面ファスナー７とを接着すると、柔道畳４の面ファスナー７が縫い付けられていない長手方向端面１５と柔道畳３の外部に臨む短手方向端面１６とが概ね揃った状態で連結される。柔道畳３の長手方向端面８に縫い付けられる雄面ファスナー６が接着する柔道畳５の短手方向の端面１３に縫い付けられる雄面ファスナー７についても同様である。柔道畳４の雄面ファスナー６と柔道畳３の雌面ファスナー７とを接着すると、柔道畳５の面ファスナー６が縫い付けられていない長手方向端面１７と柔道畳３の外部に臨む短手方向端面１６とが概ね揃った状態で連結される。
【００１９】
面ファスナー６，７を端面８，９，１０，１１，１２，１３の上部に縫い付けた場合には、競技者の動きによって面ファスナー６，７が変形し易く安定した接着力が得られない。
【００２０】
柔道畳３，４および５は、柔道畳２に面ファスナー６，７を縫い付けたものであり、競技者は、柔道畳２と同様に、柔道畳３，４および５の上でも競技することができるので、柔道場の設置場所を有効に利用することができる。
【００２１】
面ファスナー６，７を縫合した３種類の柔道畳３，４および５を備えることによって、あらゆる広さの柔道場１に対応することができ、コストダウンにも繋がる。また、柔道場１の周囲に寄せ枠を設けることを要しないので体育館や競技場などに簡易に設置することができ、寄せ枠を設置することで床面を傷つけるということもない。
【００２２】
図５は、本発明の第２の実施形態における柔道畳３の雄面ファスナー１４の縫い付け部を示す斜視図である。第１の実施例では、雄面ファスナー６の長さＬを８０ｃｍにカットしたものを用いたが、図５に示すように、面ファスナー６，７は、一定の間隔を設けて２箇所に分離して縫い付けるものでもよい。面ファスナー６の長さを調整することによって、柔道畳３，４，５を繋ぎ直して位置合わせをし、または柔道畳３，４，５を取り除く場合に、適度な接着力とすることができる。
【００２３】
本発明の第３の実施形態について図６に基づいて説明する。図６は本発明の第３の実施形態における柔道場１の平面図である。第１の実施形態の説明と重複する部分については説明を省略し同一の参照符を用いることとする。
【００２４】
正方形に形成された３２枚の柔道畳２の周囲に柔道畳３，４および５が正方形のリング状に連結されて設置されるが、リング状に連結された柔道畳３，４および５の外周には、互いに隣接する外周面を連結する雌面ファスナー２１が設けられる。雌面ファスナー２１は、柔道畳３においては長手方向両端面８，９の近傍に設けられ、柔道畳４においては長手方向端面１０と短手方向端面１１との近傍に設けられる。柔道畳５においては、長手方向端面１２と短手方向端面１３との近傍に設けられる。雌面ファスナー２１の長さは、たとえば１５ｃｍとされる。
【００２５】
柔道畳３，４および５の外周に設けられた雌面ファスナー２１，２１同士は、補助部材２２によって連結される。補助部材２２は、補助板２３と、補助板２３に設けられた雄面ファスナー２４とを備える。補助板２３としては、樹脂などの曲がりにくい材料が用いられる。補助板２３および雄面ファスナー２４の長さは、たとえば３５ｃｍとされる。柔道畳３，４および５の外周は、補助板２３に設置された雄面ファスナー２４が雌面ファスナー２１，２１に接着することによって連結される。
【００２６】
競技者の動きによって、柔道場１の中央部に設置した柔道畳２に柔道場１の外側に向く力が働くことがある。このときリング状に連結された柔道畳３，４および５の雄面ファスナー６と雌面ファスナー７との接着部には、接着部が外側に開こうとする力が働くが、柔道畳３，４および５の外周は補助部材２２によって連結されているので、リング状に連結された柔道畳３，４および５の雄面ファスナー６と雌面ファスナー７との接着部が外側に開いて柔道畳２が動くことを防止することができる。
【００２７】
このように、複数枚の柔道畳２，３，４，５によって形成される柔道場１の周縁部に設置される周縁用の柔道畳３，４，５であって、前記周縁用の柔道畳３，４，５は、前記周縁部に前記周縁用の柔道畳３，４，５と隣接して設置される他の周縁用の柔道畳３，４，５と連結し柔道場１の内部に設置される柔道畳２を囲む連結部が設けられるので、柔道場１の内部に設置される柔道畳２は、柔道場１の周縁部に設置される柔道畳３，４，５によって囲まれ移動が制限されるので、競技者の動きによってずれることがなく、隣接して設置される複数の柔道畳２の周囲に寄せ枠を設けることを要しない。
【００２８】
さらに、柔道畳３，４，５は、長手方向両端面８，９に各々雄面ファスナー６と雌面ファスナー７とが設けられる第１の柔道畳である柔道畳３と、第１の柔道畳の長手方向の端面９に設けられる雌面ファスナー７と接着する雄面ファスナー６を短手方向の端面１１に有し、第１の柔道畳の長手方向端面９に設けられる雄面ファスナー６と接着する雌面ファスナー７を長手方向の端面１０に有する第２の柔道畳である柔道畳４と、第１の柔道畳の長手方向端面８に設けられる雄面ファスナー６と接着する雌面ファスナー７を短手方向の端面１３に有し、第１の柔道畳の長手方向端面１０に設けられる雌面ファスナー７と接着する雄面ファスナー６を長手方向の端面１２に有する第３の柔道畳である柔道畳５との３種類であるので、柔道畳３，４および５を備えることによって、あらゆる広さの柔道場１に対応することができ、コストダウンにも繋がる。
【００２９】
さらに、柔道畳３，柔道畳４および柔道畳５の外周には、互いに隣接する柔道畳同士を連結する雌面または雄面のいずれか一方の面ファスナー７または６が設けられ、該面ファスナーには、補助板２３に設けられた雄面または雌面のいずれか一方の面ファスナー６または７が接着し、隣接する柔道畳３同士，隣接する柔道畳３および柔道畳４同士，隣接する柔道畳３および柔道畳５同士を接合させるように構成したので、競技者の動きによって、柔道場１の中央部に設置した柔道畳２に柔道場１の外側に向く力が働き、リング状に連結された柔道畳３，４および５の雄面ファスナー６と雌面ファスナー７との接着部に、外側に開こうとする力が働くとき、柔道畳３，４および５の外周は補助部材２２によって連結されているので、リング状に連結された柔道畳３，４および５の雄面ファスナー６と雌面ファスナー７との接着部が外側に開いて柔道畳２が動くことを防止することができる。
【符号の説明】
【００３０】
１    柔道場
２，３，４，５    柔道畳
６，１４，２４    雄面ファスナー
７，２１    雌面ファスナー
８，９，１０，１１，１２，１３，１５，１６，１７    端面
２２    補助部材
２３    補助板
【図１】
2013023817.tif 000003
【図２】
2013023817.tif 000004
【図３】
2013023817.tif 000005
【図４】
2013023817.tif 000006
【図５】
2013023817.tif 000007
【図６】
2013023817.tif 000008